(57)【特許請求の範囲】
【請求項１】
回転駆動源が内蔵された刈込機本体と、当該刈込機本体に少なくとも一方が長手方向に往復動自在に装着される第１と第２のブレードと、前記ブレードのカム孔内に配置され、前記回転駆動源により駆動される偏心カムとを有する刈込機であって、
前記偏心カムは、回転に従って、前記ブレードとの接触部の曲率が、第１の曲率から前記第１の曲率よりも小さな第２の曲率に変化し、
前記偏心カムは、該偏心カムの外周のうち回転中心軸から最も短い距離の第１の反転部を有し、前記第１の反転部と前記ブレードとが接触する０度位置から、９０度回転した状態における前記ブレードとの接触部の近傍の曲率が最も小さくなることを特徴とする刈込機。
【請求項２】
前記第１の曲率を有する面と前記第２の曲率を有する面との間の曲率が周方向に連続的に変化することを特徴とする請求項１記載の刈込機。
【請求項３】
前記偏心カムは長軸方向線を中心に線対称に形成されることを特徴とする請求項１または２記載の刈込機。
【請求項４】
回転駆動源が内蔵された刈込機本体と、当該刈込機本体に少なくとも一方が長手方向に往復動自在に装着される第１と第２のブレードとを有する刈込機であって、
少なくとも一方の前記ブレードの基端部に、長手方向に対して交差する方向に相互に平行となって伸びる基端部側と先端部側の交差面とを備えたカム孔を形成し、
長軸径を有するとともに、当該長軸径を直径とする仮想円の中心点に対して長軸方向に偏心した回転中心軸を中心に前記回転駆動源により駆動される偏心カムを前記カム孔内に配置し、
前記偏心カムの前記長軸方向における前記回転中心軸から短い距離の第１の反転部側に、前記偏心カムの回転に伴う前記ブレードの移動を加速変化させる加速面を形成する一方、前記偏心カムの前記長軸方向における前記回転中心軸から長い距離の第２の反転部側に、前記偏心カムの回転に伴う前記ブレードの加速変化を抑制する定速面を形成することを特徴とする刈込機。
【請求項５】
それぞれの前記ブレードを前記刈込機本体に往復動自在に装着し、それぞれの前記ブレードの基端部に前記カム孔を形成し、それぞれの前記カム孔に配置される第１の偏心カムと第２の偏心カムとを前記回転中心軸に対して逆向きに設けることを特徴とする請求項４記載の刈込機。
【請求項６】
前記中心点から前記第１の反転部までの距離を半径とする円弧面により前記加速面を形成し、前記中心点からの距離が前記半径よりも小さい円弧面により前記定速面を形成することを特徴とする請求項４または５記載の刈込機。
【請求項７】
前記加速面と前記定速面とを前記長軸径の方向の長軸方向線を中心に線対称に形成することを特徴とする請求項４〜６のいずれか１項に記載の刈込機。
【請求項８】
前記定速面の円周方向の範囲を前記加速面の円周方向の範囲よりも長く形成することを特徴とする請求項４〜７のいずれか１項に記載の刈込機。
【請求項９】
前記定速面の前記中心点からの距離を前記加速面の終端から前記第２の反転部に向けて徐々に小さくするとともに最小距離の部分から前記第２の反転部までを徐々に大きくすることを特徴とする請求項７または８記載の刈込機。
【請求項１０】
回転駆動源が内蔵された刈込機本体と、当該刈込機本体に少なくとも一方が長手方向に往復動自在に装着される第１と第２のブレードと、前記ブレードのカム孔内に配置され、前記回転駆動源により駆動される偏心カムとを有する刈込機であって、
前記偏心カムは、前記偏心カムの外周のうち回転中心軸から最も短い距離の第１の反転部を有し、前記偏心カムの回転数を一定としたときの、前記偏心カムが１回転する間の前記ブレードの速度変化が、前記偏心カムが前記第１の反転部と前記ブレードとが接触する０度位置から９０度回転した状態において、前記偏心カムを前記０度位置での前記長手方向を直径とする円形として駆動した場合における正弦波に対して抑制された非正弦波状となるように構成したことを特徴とする刈込機。
【発明の詳細な説明】
【技術分野】
【０００１】
本発明は植え込みや生垣の枝葉等の樹木の剪定作業に使用する刈込機に関する。
【背景技術】
【０００２】
植え込みや生垣の枝葉等の樹木を剪定作業するために、ヘッジトリマとも言われる刈込機が使用される。刈込機は回転動力源としての電動モータや発動機が組み込まれた刈込機本体を有し、この刈込機本体には一対となった２つのブレードが直線往復動自在に装着されている。それぞれのブレードは棒状の板材により形成され、両側にはブレードの長手方向に一定の間隔を隔てて切刃が突設されている。刈込機本体には回転駆動源の主軸の回転を減速して回転部材に伝達するための減速機が組み込まれている。回転部材の回転運動をブレードの直線往復動に変換するために、回転部材はブレードの基端部にカム機構を介して連結されている。
【０００３】
このように、対をなす２つのブレードを往復動させるようにした刈込機には、回転部材の回転運動をブレードの直線往復動に変換するために、例えば、特許文献１に記載されるように、円形のカム面を有する円板カムが設けられている。円板カムには中心点に対して偏心した位置を回転中心軸とする回転部材が取り付けられており、ブレードの基端部に設けられて円板カムが組み込まれるカム孔は、ブレードの長手方向に対して直角方向に交差するように形成されている。円板カムとカム孔によりカム機構が構成されており、このカム機構により回転部材の回転運動がブレードの往復動に変換される。
【０００４】
２つのブレードを逆方向に同時に往復動させるために、それぞれのブレードに形成されたカム孔に込み込まれる２つの円板カムは、回転中心軸を中心としてそれぞれの中心点が一直線状となるように、１８０度位相をずらして逆向きとなって回転部材に固定されている。２つの円板カムが回転部材により回転駆動されると、一方のブレードが刈込機本体から離れる方向に前進移動するときは、他方のブレードは刈込機本体に向けて後退する方向に移動する。これにより、それぞれのブレードに設けられた切刃により樹木が剪定される。
【先行技術文献】
【特許文献】
【０００５】
【特許文献１】特許第４００６９７５公報
【発明の概要】
【発明が解決しようとする課題】
【０００６】
刈込機のブレードは、例えば１分間に１８００回往復動するように高速で往復動されている。このため、刈込機本体の操作ハンドルを持って剪定作業を行う作業者の手には、振動が伝わることになるので、大きな振動が作業者に加わると、作業者が不快に感じ剪定作業性が悪くなる。したがって、刈込機の作業性を向上させるためには、ブレード駆動時における振動をいかにして低減するかが刈込機における解決課題となっている。
【０００７】
刈込機の振動を低減するために、発明者により振動発生原因が探求された。ブレードが前進移動から後退移動に反転する反転位置と、逆に後退移動から前進移動に反転する位置においては、ブレードが瞬間的に停止状態つまり速度０の状態となる。この反転時にブレードの慣性により刈込機本体には反力が発生する。対をなす２つのブレードは、移動方向が逆向きであるので、反力を打ちし合うことになる。しかし、円板カムの真円度、２つの円板カムの同軸度、カム孔の加工精度および組立誤差等の製造上の寸法精度の誤差によりブレードの動きに多少のずれが発生することが不可避である。この寸法精度の誤差が刈込機の振動発生を惹起していると考えられる。このような振動発生の原因追及の結果、本発明の刈込機が開発された。
【０００８】
本発明の目的は、刈込機の振動を低減することにある。
【課題を解決するための手段】
【０００９】
本発明の刈込機は、回転駆動源が内蔵された刈込機本体と、当該刈込機本体に少なくとも一方が長手方向に往復動自在に装着される第１と第２のブレードと、前記ブレードのカム孔内に配置され、前記回転駆動源により駆動される偏心カムとを有する刈込機であって、前記偏心カムは、回転に従って、前記ブレードとの接触部の曲率が、第１の曲率から前記第１の曲率よりも小さな第２の曲率に変化し、前記偏心カムは、該偏心カムの外周のうち回転中心軸から最も短い距離の第１の反転部を有し、前記第１の反転部と前記ブレードとが接触する０度位置から、９０度回転した状態における前記ブレードとの接触部の近傍の曲率が最も小さくなることを特徴とする。
【００１０】
本発明の刈込機は、前記第１の曲率を有する面と前記第２の曲率を有する面との間の曲率が周方向に連続的に変化することを特徴とする。本発明の刈込機は、前記偏心カムは長軸方向線を中心に線対称に形成されることを特徴とする。
【００１１】
本発明の刈込機は、回転駆動源が内蔵された刈込機本体と、当該刈込機本体に少なくとも一方が長手方向に往復動自在に装着される第１と第２のブレードとを有する刈込機であって、少なくとも一方の前記ブレードの基端部に、長手方向に対して交差する方向に相互に平行となって伸びる基端部側と先端部側の交差面とを備えたカム孔を形成し、長軸径を有するとともに、当該長軸径を直径とする仮想円の中心点に対して長軸方向に偏心した回転中心軸を中心に前記回転駆動源により駆動される偏心カムを前記カム孔内に配置し、前記偏心カムの前記長軸方向における前記回転中心軸から短い距離の第１の反転部側に、前記偏心カムの回転に伴う前記ブレードの移動を加速変化させる加速面を形成する一方、前記偏心カムの前記長軸方向における前記回転中心軸から長い距離の第２の反転部側に、前記偏心カムの回転に伴う前記ブレードの加速変化を抑制する定速面を形成することを特徴とする。
【００１２】
本発明の刈込機は、それぞれの前記ブレードを前記刈込機本体に往復動自在に装着し、それぞれの前記ブレードの基端部に前記カム孔を形成し、それぞれの前記カム孔に配置される第１の偏心カムと第２の偏心カムとを前記回転中心軸に対して逆向きに設けることを特徴とする。本発明の刈込機は、前記中心点から前記第１の反転部までの距離を半径とする円弧面により前記加速面を形成し、前記中心点からの距離が前記半径よりも小さい円弧面により前記定速面を形成することを特徴とする。本発明の刈込機は、前記加速面と前記定速面とを前記長軸径の方向の長軸方向線を中心に線対称に形成することを特徴とする。本発明の刈込機は、前記定速面の円周方向の範囲を前記加速面の円周方向の範囲よりも長く形成することを特徴とする。本発明の刈込機は、前記定速面の前記中心点からの距離を前記加速面の終端から前記第２の反転部に向けて徐々に小さくするとともに最小距離の部分から前記第２の反転部までを徐々に大きくすることを特徴とする。
【００１３】
本発明の刈込機は、回転駆動源が内蔵された刈込機本体と、当該刈込機本体に少なくとも一方が長手方向に往復動自在に装着される第１と第２のブレードと、前記ブレードのカム孔内に配置され、前記回転駆動源により駆動される偏心カムとを有する刈込機であって、前記偏心カムは、前記偏心カムの外周のうち回転中心軸から最も短い距離の第１の反転部を有し、前記偏心カムの回転数を一定としたときの、前記偏心カムが１回転する間の前記ブレードの速度変化が、前記偏心カムが前記第１の反転部と前記ブレードとが接触する０度位置から９０度回転した状態において、前記偏心カムを前記０度位置での前記長手方向を直径とする円形として駆動した場合における正弦波に対して抑制された非正弦波状となるように構成したことを特徴とする。
【発明の効果】
【００１４】
本発明の刈込機においては、回転部材により回転駆動されてブレードの往復動に変換する偏心カムには、偏心カムの回転に伴ってブレードを加速させることなくほぼ一定の速度で移動させる小さな曲率を有する接触部が形成されているので、偏心カムの回転に伴うブレードの移動距離の変化量の差が小さくなる。これにより、ブレードの往復動によって刈込機本体に伝達される振動が低減され、刈込機の操作性が向上する。ブレードの移動距離の変化量の差が小さくなると、ブレードを駆動するための回転部材や回転駆動源の回転を減速するための減速歯車の歯面に加わる荷重が低減され、刈込機の耐久性が向上する。
【図面の簡単な説明】
【００１５】
【図１】本発明の一実施の形態である刈込機の一部切欠き側面図である。
【図２】図１に示されたブレード組立体を示す分解斜視図である。
【図３】（Ａ）はブレードのカム孔に組み込まれた偏心カムを示す拡大平面図であり、（Ｂ）は（Ａ）から偏心カムが９０度回転した状態における拡大平面図である。
【図４】（Ａ１）〜（Ａ４）は図３に示された偏心カムが基準位置から９０度回転するまでにおける偏心カムとブレードの位置関係の変化を示す駆動状態図であり、（Ｂ１）〜（Ｂ４）は比較例として示す従来の円板カムにおける同様の位置関係を示す駆動状態図である。
【図５】（Ａ１）〜（Ａ４）は偏心カムが図４に示す状態に引き続いて１２０度から１８０度回転するまでにおける偏心カムとブレードの位置関係の変化を示す駆動状態図であり、（Ｂ１）〜（Ｂ４）は比較例として示す従来の円板カムにおける同様の位置関係を示す駆動状態図である。
【図６】偏心カムの角度と歯面荷重を従来の円板カムの場合と比較して示す偏心カムの特性線図である。
【図７】偏心カムの回転角度とブレードの移動距離の変化量の関係を示す偏心カムの特性線図である。
【発明を実施するための形態】
【００１６】
以下、本発明の実施の形態を図面に基づいて詳細に説明する。図１に示すように、刈込機１０は、回転駆動源としての電動モータ１１が内蔵されたケーシングつまり刈込機本体１２を有している。刈込機本体１２には作業者により把持される操作ハンドル１３が設けられており、操作ハンドル１３が設けられた側が刈込機１０の後端部となっている。電動モータ１１の主軸１４には駆動歯車１５が設けられており、刈込機本体１２に主軸１４と平行となって固定された支持軸１６には駆動歯車１５に噛み合う従動歯車１７が回転自在に装着されている。従動歯車１７は駆動歯車１５よりも大径となっており、これらの歯車対により減速機構１８が構成される。電動モータ１１には給電ケーブル１９により外部から電力が供給され、操作スイッチ１３ａが操作されると、電動モータ１１には電力が供給されて主軸１４が回転駆動される。
【００１７】
刈込機本体１２の前端部には、ブレードアッセンブリつまりブレード組立体２０が刈込機本体１２の前方に突出して装着される。ブレード組立体２０は、図２に示されるように、図２において下側の第１のブレード２１と上側の第２のブレード２２とを有しており、それぞれ棒状の板材により形成されている。ブレード２１の両側にはブレード２１の長手方向に一定の間隔を隔てて切刃２１ａが突設され、ブレード２２の両側にも同様の切刃２２ａが突設されている。
【００１８】
刈込機本体１２の下側には、図１に示されるように、ブレードホルダ２３が複数本の雄ねじ２４により固定されるようになっており、２つのブレード２１，２２は積み重ねられた状態でブレードホルダ２３に保持される。ブレードホルダ２３にはホルダープレート２５がブレード２１，２２を介して複数本の雄ねじ２６とこれにねじ結合されるナット２７により取り付けられる。このように、２つのブレード２１，２２はブレードホルダ２３とホルダープレート２５の間に組み込まれる。雄ねじ２６には環状のスペーサ２８が装着され、このスペーサ２８によりブレードホルダ２３とホルダープレート２５との間に形成される収容スペース内において、それぞれのブレード２１，２２は図２に矢印で示すように前後方向に往復動する。なお、図２には複数本の雄ねじ２６のうち１本のみが示されている。雄ねじ２６に対応させてそれぞれのブレード２１，２２には、それぞれ雄ねじ２６が貫通する複数のガイド２９が形成されており、雄ねじ２６とブレード２１，２２との干渉が防止されるとともに、ブレード２１，２２の直線往復動がガイドされる。
【００１９】
図２に示されるように、ブレード２１の基端部にはカム孔３１が形成され、ブレード２２の基端部にも同様にカム孔３２が形成されている。カム孔３１内には偏心カム３３が配置され、カム孔３２には偏心カム３４が配置され、両方の偏心カム３３，３４は焼結により一体に形成されている。図２において上側の偏心カム３４は、図１に示された従動歯車１７に固定され、偏心カム３３，３４は電動モータ１１により一体となって回転駆動される。
【００２０】
図３はそれぞれのブレード２１，２２のカム孔３１，３２に偏心カム３３，３４が組み込まれた状態を示す拡大平面図である。偏心カム３３よりも従動歯車１７側に配置される偏心カム３４には、図３に示されるように凹凸部３５が設けられている。この凹凸部３５は従動歯車１７に設けられた図示しない凹凸部に噛み合っており、凹凸部３５により偏心カム３４は回転部材としての従動歯車１７に固定される。
【００２１】
それぞれのカム孔３１，３２は同一の形状となっており、カム孔３２はブレード２２の長手方向に対して直角となって交差する方向の基端部側の真っ直ぐな交差面３６と、これと平行となった先端部側の交差面３７とを有し、それぞれの交差面３６，３７の両端部は円弧面３８，３９に連なっている。このように、カム孔３２は相互に平行となった交差面３６，３７と、円弧面３８，３９とを有する長孔であり、カム孔３２はブレード２２の長手方向の幅寸法よりも長手方向に交差する方向の長さ寸法の方が長い寸法となっている。他のカム孔３１も同様に交差面３６，３７と円弧面３８，３９とを有している。
【００２２】
偏心カム３４は、図３に示されるように、両方の交差面３６，３７の間のカム孔３２の幅寸法に対応した長軸径を有する異形形状となっている。この長軸径にほぼ対応するかそれよりもやや短い寸法を直径とする仮想円Ｓの中心点Ｏから偏心量Ｅの寸法だけ離れた位置が回転中心軸Ｐとなっている。この回転中心軸Ｐと同軸に形成された貫通孔には、刈込機本体１２に取り付けられる支持軸１６が貫通しており、偏心カム３４は支持軸１６により支持されて回転中心軸Ｐを中心に回転駆動される。
【００２３】
偏心カム３４の外周面に形成されたカム面４０には、中心点Ｏと回転中心軸Ｐとを通る長軸方向線をＸとすると、この長軸方向線Ｘが交差するカム面４０の部分は反転部４１，４２となっている。中心点Ｏに対して回転中心軸Ｐは距離Ｅだけ偏心しているので、一方の第１の反転部４１と回転中心軸Ｐとの間の距離Ｅ１は、他方の第２の反転部４２と回転中心軸Ｐとの間の距離Ｅ２よりも、偏心量Ｅだけ短くなっている。図３においては、長軸方向線Ｘに対して直角方向となって中心点Ｏを通る中心線Ｙ0と、これに平行となって回転中心軸Ｐを通る偏心線Ｙ1との間の距離が偏心量Ｅとなる。
【００２４】
反転部４１側のカム面４０は加速面４３となっており、この加速面４３は偏心カム３４の回転に伴ってブレード２２を加速させながら直線移動させる。これに対して、反転部４２側のカム面４０は偏心カム３４の回転に伴ってブレード２２を加速させることなく一定速度に近い速度でブレード２２を直線移動させる定速面４４となっている。カム面４０は長軸方向線Ｘに対してこれを中心に線対象となっており、図３（Ａ）に示すように、偏心カム３４がその長軸方向線Ｘをブレード２２の長手方向と一致させた基準位置の状態のもとで、偏心カム３４をいずれの方向に回転させても、偏心カム３４の回転角度に対するブレード２２の移動距離はそれぞれ同様である。
【００２５】
加速面４３は中心点Ｏを半径の中心とする円弧面により形成されており、仮想円Ｓに近い形状となっている。この加速面４３は円周方向に反転部４１を中心に正逆両方向にそれぞれ約３０〜４０度の範囲に形成されている。これに対し、定速面４４は中心点Ｏからの距離が加速面４３の半径よりも小さい円弧面により形成されており、この定速面４４は円周方向に反転部４２を中心に正逆両方向にそれぞれ約１５０〜１４０度の範囲に形成されている。このように、定速面４４の円周方向の範囲は、加速面４３の円周方向の範囲よりも長い範囲となって形成されている。定速面４４の中心点Ｏからの距離は、加速面４３の終端部Ａから最小距離部Ｂに向けて徐々に小さくなっており、最小距離部Ｂから反転部４２までは徐々に大きくなっている。最小距離部Ｂの位置は、終端部Ａと反転部４２の中間位置に設定されている。すなわち、定速面４４の円弧面の曲率は、加速面４３の円弧面の曲率に対して小さくなるように構成されており、それぞれの円弧面の曲率は周方向に連続的に変化している。
【００２６】
偏心カム３４のカム面４０は、上述のように、加速面４３と定速面４４とを有し、異形形状となっているので、従来のように、カム面が円形となった円板カムとは相違した挙動でブレード２２が駆動される。例えば、図３（Ａ）に示すように、偏心カム３４の長軸方向線Ｘがブレード２２の長手方向線と一致した基準位置の状態のもとで、偏心カム３４が回転駆動されると、加速面４３がカム孔３２の交差面３６に接触してブレード２２を駆動することになる。このときには、偏心カム３４の単位回転変化量に対してブレード２２は直線方向に変化量を高めながら駆動される。つまり、加速されて駆動されることになる。
【００２７】
これに対し、偏心カム３４の回転に伴ってそのカム面４０の終端部Ａとカム孔３２との接触位置を経て定速面４４がカム孔３２の交差面３６に接近すると、偏心カム３４の単位回転変化量に対するブレード２２の直線方向の変化量が小さくなる。これにより、ブレード２２は大きな加速を受けることなく、一定速度にほぼ近い速度で駆動される。図３（Ｂ）は偏心カム３４が基準位置から９０度回転した状態を示す。この状態のもとでは、偏心カム３４とブレード２２との接触部の近傍の曲率が最も小さくなる。
【００２８】
図３（Ｂ）の９０度の位置よりも偏心カム３４がさらに回転すると、定速面４４とカム孔３２との接触によりブレード２２の加速は抑制され、一定速度に近い速度で駆動される。さらに、偏心カム３４が１８０度の位置に近づくと、反転部４２が交差面３６に接近するので、減速する方向に負の加速力を受けて駆動されることになる。偏心カム３４が１８０度の位置から３６０度の位置まで回転するときには、ブレード２２は同様の過程を経て逆方向に駆動される。
【００２９】
したがって、ブレード２２の直線往復動ストロークを円板カムの場合と同一となるように、偏心カム３４の長軸径を円板カムの直径と同一に設定してブレード２２を駆動しても、偏心カム３４の回転変化量に対するブレード２２の直線方向の変化量つまり移動距離の変化量を小さくすることができる。変化量は偏心カム３４からブレード２２に加えられる荷重の変化量に対応しており、ブレード２２に加えられる荷重の変化量が小さくなると、ブレード２２の往復動時における振動発生を低減することができる。しかも、ブレード２２に加えられる荷重は、駆動歯車１５と従動歯車１７の歯面にも加わることになるので、歯面に加わる荷重の変化量が小さくなると、歯車の耐久性を向上させることができる。
【００３０】
他のブレード２１のカム孔３１内に配置される偏心カム３３も偏心カム３４と同一の形状となっており、２つの偏心カム３３，３４は回転中心軸Ｐを中心に回転方向に１８０度位相がずれ、回転中心軸Ｐに対して相互に逆向きとなっている。したがって、一方のブレードが前進移動するときには、他方のブレードは後退移動することになり、両方のブレード２１，２２から刈込機本体１２に加わる反力は打ち消される方向となる。なお、２つの偏心カム３３，３４の回転方向の位相差は、相互に逆向きとなっていれば、必ずしも１８０度に限られることなく、僅かな角度誤差があっても、振動低減効果を発揮することができる。
【００３１】
図４（Ａ１）〜（Ａ４）と図５（Ａ１）〜（Ａ４）は、本発明の刈込機１０の偏心カム３３，３４とブレード２１，２２の位置との位置関係の変化を示す。一方、図４（Ｂ１）〜（Ｂ４）と図５（Ｂ１）〜（Ｂ４）は、比較例として円板カムを用いた場合における同様の位置関係の変化を示し、これらの図において、円板カムについては、それぞれ符号３３ａ，３４ａが付されている。
【００３２】
図６は偏心カムの角度と歯面荷重を従来の円板カムの場合と比較して示す偏心カムの特性線図であり、図７は偏心カムの回転角度とブレードの変化量の関係を示す偏心カムの特性線図である。
【００３３】
図６においては、比較例としての一方の円板カム３３ａによりブレード２１を駆動した場合における歯面荷重の変化が細線Ｆで示されており、偏心カム３３によりブレード２１を駆動した場合における歯面荷重の変化が太線Ｇで示されている。破線Ｈは太線Ｇで示される歯面荷重の変化傾向を示す理想特性線である。
【００３４】
偏心カム３３が図３（Ａ）に示すように基準位置から約４０度回転するまでは、太線Ｇで示すように歯面荷重は増加することになり、この増加傾向は細線Ｆで示すように円板カム３３ａの場合と同様である。この角度を過ぎると、偏心カム３３が基準位置から１４０度回転するまでは、歯面荷重は大きく変化することなく、ほぼ一定となる。偏心カム３３の回転角度が１４０度を過ぎると、歯面荷重は減少することになる。これに対し、円板カム３３ａの場合には、歯面荷重は回転角度が４０度を過ぎて９０度に達するまでは増加することになり、歯面荷重の最大値は偏心カム３３よりも大きくなる。したがって、偏心カム３３と円板カム３３ａの角度９０度における歯面荷重差は大きく相違することになり、偏心カム３３を定速面４４と加速面４３とを有する異形形状とすると、偏心カム３３の回転に伴う歯面荷重の差を小さくすることができる。
【００３５】
歯面荷重の変化は、ブレードの移動量の変化量に対応しており、図７に示されるように、偏心カム３３の回転角度の変化に対するブレード２１の移動量の変化量は定速面４４が設けられているので、回転角度がほぼ４０度から１５０度の範囲においては、加速度を受けることなく、ほぼ定速度でブレード２１か移動することになる。このように、偏心カム３３の回転数を一定としたときに、偏心カム３３が１回転する間のブレード２１の速度変化は非正弦波状となる。これにより、偏心カム３３を用いた刈込機１０においては振動が大幅に低減され、作業者に大きな振動が加わることなく、作業性を向上させることができる。
【００３６】
本発明は前記実施の形態に限定されるものではなく、その要旨を逸脱しない範囲で種々変更可能である。例えば、図示する刈込機１０においては、２つのブレード２１，２２の両方を相互に逆向きに駆動するようにしているが、一方のブレードを固定式として他方のブレードのみを駆動するようにしても、振動発生を低減することができる。また、電動モータ１１には外部から給電ケーブル１９により電力を供給するようにしているが、刈込機本体１２内に充電式のバッテリを組み込んでバッテリからの電力により電動モータ１１を駆動するようにしても良い。
【符号の説明】
【００３７】
１０…刈込機、１１…電動モータ（回転駆動源）、１２…刈込機本体、１３…操作ハンドル、１３ａ…操作スイッチ、１４…主軸、１５…駆動歯車、１６…支持軸、１７…従動歯車、１８…減速機構、１９…給電ケーブル、２０…ブレード組立体、２１，２２…ブレード、２３…ブレードホルダ、２４…雄ねじ、２５…ホルダープレート、２６…雄ねじ、２７…ナット、２８…スペーサ、２９…ガイド孔、３１，３２…カム孔、３３，３４…偏心カム、３５…凹凸部、３６，３７…交差面、３８，３９…円弧面、４０…カム面、４１，４２…反転部、４３…加速面、４４…定速面、Ｏ…中心点、Ｐ…回転中心軸、Ｓ…仮想円、Ｘ…長軸方向線、Ｙ０…中心線、Ｙ１…偏心線。
【図１】
0005887791.tif 000002
【図２】
0005887791.tif 000003
【図３】
0005887791.tif 000004
【図４】
0005887791.tif 000005
【図５】
0005887791.tif 000006
【図６】
0005887791.tif 000007
【図７】
0005887791.tif 000008